(57)【要約】【課題】メインドアの本体キャビネットへの組付け後の調整をなくすことができるとともに仮にメインドアの本体キャビネットへの組付け後の調整が必要な場合にも調整を行うことができるようにする。【解決手段】前面が開口した本体キャビネット１と、この本体キャビネット１の天面に固定されたヒンジプレート７を介して本体キャビネット１にヒンジ結合され、前記本体キャビネット１の前面開口を開閉するメインドア２とを備えた自動販売機であって、前記ヒンジプレート７に装着されるボルト１０および本体キャビネット１の内面に配設され、前記本体キャビネット１の天面に穿孔された取付穴Ｈ１を介して本体キャビネット１の内面に突出した前記ボルト１０に螺合するナッ１１トにより前記ヒンジプレート７を本体キャビネット１に固着して成るものにおいて、前記本体キャビネット１の天面に穿孔される取付穴Ｈを、前記ボルト１０の外径に略一致する大きさのボルト挿通穴Ｈａとこのボルト挿通穴Ｈａの外郭に設けた調整代としての調整穴Ｈｂとにより形成した。【選択図】      図１
2005316726.tif 000002
【特許請求の範囲】
【請求項１】
前面が開口した本体キャビネットと、この本体キャビネットの天面に固定されたヒンジプレートを介して本体キャビネットにヒンジ結合され、前記本体キャビネットの前面開口を開閉するメインドアとを備えた自動販売機であって、前記ヒンジプレートに装着されるボルトおよび本体キャビネットの内面から操作され、前記本体キャビネットの天面に穿孔された取付穴を介して本体キャビネットの内面に突出した前記ボルトに螺合するナットにより前記ヒンジプレートを本体キャビネットに固着して成る自動販売機のヒンジ装置において、
前記本体キャビネットの天面に穿孔される取付穴を、前記ボルトの外径に略一致する大きさの径を有するボルト挿通穴とこのボルト挿通穴の外郭に設けた調整代とにより構成したことを特徴とする自動販売機のヒンジ装置。
【請求項２】
請求項１記載の自動販売機のヒンジ装置において、調整代はボルト挿通穴の外郭に設けた調整穴により形成したことを特徴とする自動販売機のヒンジ装置。
【請求項３】
請求項２記載の自動販売機のヒンジ装置において、調整穴はボルト挿通穴の縁に沿って複数個形成された三日月状穴であることを特徴とする自動販売機のヒンジ装置。
【請求項４】
請求項１記載の自動販売機のヒンジ装置において、調整代はボルト挿通穴の縁に向かって延在した調整代片であることを特徴とする自動販売機のヒンジ装置。
【発明の詳細な説明】
【技術分野】
【０００１】
この発明は、前面が開口した本体キャビネットと当該本体キャビネットの前面開口を開閉するメインドアを備えた自動販売機において、前記本体キャビネットに対してメインドアを開閉可能に支承するヒンジ装置に関する。
【背景技術】
【０００２】
本発明の実施対象の一つである一般的な缶飲料自動販売機を例に、その構成を図３に示す。図において、１は前面が開口した箱形の断熱筐体としてなる自動販売機の本体キャビネットであり、該本体キャビネット１にはその前面開口を閉塞する片開き式のメインドア２が取付けられている。前記本体キャビネット１の庫内は、仕切壁により左右に並ぶ複数の商品収納室（この例では３室）に仕切られており、各商品収納室ごとにサーペンタイン式商品収納ラック５、商品搬出シュータ６および冷却／加熱ユニット（不図示）が上下方向に収設されている。なお、３は庫内前面を閉塞する内扉、３ａは前記商品搬出シュータ６と商品取出口２ａを連係して内扉３に開口したフラッパ付きの商品搬出口、４は商品投入口であり、前記メインドア２の前面には、周知のように、硬貨投入口，紙幣投入口，金銭返却レバー，釣銭返却口，商品取出口，ロック付きハンドルなどが設けられている。
【０００３】
図４および図５は前記本体キャビネット１に対してメインドア２を開閉可能に支承する上部のヒンジ装置を示す。この種のヒンジ装置は、本体キャビネット１の天面にボルト１０により固着されたヒンジプレート７を介してメインドア２が開閉可能に配設してある。ヒンジプレート７は、鋼板からなる板状部材であり、基端部と先端部との間を適宜に屈曲させて基端部が先端部よりも上段になるように形成され、メインドア２の開閉軸となるヒンジ軸８を設けた先端部がメインドア２の上面に対向する態様で基端部を本体キャビネット１にボルト１０により固定したものである。すなわち、ヒンジプレート７は補強金９を介して本体キャビネット１の天面に配置され、ヒンジプレート７および補強金９の取付穴７ａ，９ａを本体キャビネット１の取付穴１ａに一致させてボルト１０を差込み、本体キャビネット１の内面に突出したボルト１０にナット１１を螺合させて締め付けることによって本体キャビネット１に固着される（例えば、特許文献１参照）。なお、下部のヒンジ装置（不図示）は、本体キャビネット１の底板に植設されたヒンジ軸にメインドア２の下面に形成したヒンジ穴を挿入して構成されている。
【特許文献１】特開平１０−１３１５９４号公報
【発明の開示】
【発明が解決しようとする課題】
【０００４】
ところで、自動販売機におけるメインドア２と本体キャビネット１との間の隙間Ｇ（図５参照）が規定幅に形成されていない場合、例えば間隙Ｇが規定幅より小さい場合にはメインドア２の開閉の際にメインドア２のヒンジ軸８の後方角部が本体キャビネット１に当接してしまい、間隙Ｇが規定幅より大きい場合には本体キャビネット１とメインドア２とに対峙して配設されたパッキン同士に間に隙間が形成されてしまう。また、下部のヒンジ軸と上部のヒンジ軸８とを結ぶ線が水平線に対して鉛直に形成されていない場合、例えば本体キャビネット１の前面に対してメインドア２が前方に前傾している場合（下部ヒンジ軸に対して上部ヒンジ軸８が本体キャビネット１から離れている場合）、メインドア２のロックを解除して開放する際にメインドア２は力を加えないにも係わらず勝手に開放してしまい、その開放速度が加速されてメインドア２が停止する際にヒンジ装置に大きな衝撃力が加わる。また、自動販売機を正面側から見た状態で下部のヒンジ軸と上部のヒンジ軸８とを結ぶ線が水平線に対して鉛直に形成されていない場合、すなわち、メインドア２が本体キャビネット１に正対していない場合、本体キャビネット１の開口を完全に覆うことができなくなるとともに見栄えが悪い。メインドア２が本体キャビネット１に正対していない状態とは、自動販売機の正面から見てメインドア２がヒンジ装置側（例えば左側）に対して反ヒンジ側（右側）が下がった状態や逆に上がった状態などである。
【０００５】
前記間隙Ｇが規定幅となるとともに下部のヒンジ軸と上部のヒンジ軸８とを結ぶ線が水平線に対して鉛直になるように製造するためには、各部品の加工精度や溶接精度を厳密に管理すればよい。しかしながら、各部品の加工精度や溶接精度を厳密に管理することは費用と手間がかかることから、各部品の製造ばらつきを許容してメインドア２を本体キャビネット１に組付けた後に以下の調整を行うようにされている。すなわち、本体キャビネット１の天面に設けた取付穴１ａの径をボルト１０の径の２倍程度に大きく形成し、取付穴１ａ内をボルト１０が移動可能な遊びを設けていた。そして、本体キャビネット１にヒンジプレート７を介してメインドア２を組付けて仮止めした後、隙間Ｇやメインドア２の傾き具合を目視し、例えばヒンジ軸８側の隙間Ｇが大きい場合（メインドア２が本体キャビネット１に対して前傾している場合）にはメインドア２の前面上部をハンマーで叩いてボルト１０の位置を取付穴１ａ内を移動させ、間隙Ｇが一定幅になったことを確認してからナット１１を締め付けてメインドア２を本体キャビネット１に固着していた。
【０００６】
ところで、昨今の製造技術の向上により製造ばらつきも小さくなってきており、本体キャビネット１の天面に設けた取付穴１ａの径をボルト１０の径に近付けることが可能となった。しかしながら、製造ばらつきを完全になくすことはできないことから、本体キャビネット１の天面に設けた取付穴１ａの径をボルト１０の径に一致させると歩留まりが悪くなってしまう。そこで、本体キャビネット１の天面に設けた取付穴１ａの径をボルト１０の径よりも大きく形成してメインドア２を本体キャビネット１に組付け後に調整するようにされているが、取付穴１ａの径がボルト１０の径よりも大きく形成されているため、製造ばらつきがないにも係わらず、メインドア２の本体キャビネット１への組付け時に取付穴１１ａの遊び分だけずれてしまうという問題を有する。
【０００７】
そこで、本発明は前述した実情にかんがみて、メインドアの本体キャビネットへの組付け後の調整をなくすことができるとともに仮にメインドアの本体キャビネットへの組付け後の調整が必要な場合にも対処可能な自動販売機のヒンジ装置を提供すること目的とする。
【課題を解決するための手段】
【０００８】
上述の目的を達成するために、この発明の請求項１にかかる自動販売機のヒンジ装置においては、前面が開口した本体キャビネットと、この本体キャビネットの天面に固定されたヒンジプレートを介して本体キャビネットにヒンジ結合され、前記本体キャビネットの前面開口を開閉するメインドアとを備えた自動販売機であって、前記ヒンジプレートに装着されるボルトおよび本体キャビネットの内面から操作され、前記本体キャビネットの天面に穿孔された取付穴を介して本体キャビネットの内面に突出した前記ボルトに螺合するナットにより前記ヒンジプレートを本体キャビネットに固着して成る自動販売機のヒンジ装置において、前記本体キャビネットの天面に穿孔される取付穴を、前記ボルトの外径に略一致する大きさの径を有するボルト挿通穴とこのボルト挿通穴の外郭に設けた調整代とにより構成したことを特徴とする。
【０００９】
また、本発明の請求項２に係る自動販売機のヒンジ装置においては、前述した請求項１における調整代をボルト挿通穴の外郭に設けた調整穴により形成したことを特徴とする。
【００１０】
また、本発明の請求項３に係る自動販売機のヒンジ装置においては、前述した請求項２における調整穴をボルト挿通穴の縁に沿って複数個形成された三日月状穴であることを特徴とする。
【００１１】
また、本発明の請求項４に係る自動販売機のヒンジ装置においては、前述した請求項１における調整代をボルト挿通穴の縁に向かって延在した調整代片であることを特徴とする。
【発明の効果】
【００１２】
本発明によれば、前面が開口した本体キャビネットと、この本体キャビネットの天面に固定されたヒンジプレートを介して本体キャビネットにヒンジ結合され、前記本体キャビネットの前面開口を開閉するメインドアとを備えた自動販売機であって、前記ヒンジプレートに装着されるボルトおよび本体キャビネットの内面から操作され、前記本体キャビネットの天面に穿孔された取付穴を介して本体キャビネットの内面に突出した前記ボルトに螺合するナットにより前記ヒンジプレートを本体キャビネットに固着して成る自動販売機のヒンジ装置において、前記本体キャビネットの天面に穿孔される取付穴を、前記ボルトの外径に略一致する大きさの径を有するボルト挿通穴とこのボルト挿通穴の外郭に設けた調整代とにより構成したことにより、製造ばらつきのない場合にはメインドアをヒンジプレートを介して本体キャビネットに組付けるだけでメインドアと本体キャビネットとの間の隙間Ｇを規定幅に設定することができるとともにメインドアを本体キャビネットに正対させることができる。仮に製造ばらつきによってメインドアの本体キャビネットへの組付け後に調整が必要な場合には、ハンマーによる叩き作業によってボルト挿通穴の外郭に設けた調整代に打撃力が作用して当該調整代が変形するので調整が可能であり、このことから自動販売機を据付け場所に搬送する段階でメインドアやヒンジ装置に外力が加えられて間隙Ｇが規定値から外れてしまった場合にも現地据付け場所で調整することも可能である。従って、歩留まりを悪くすることなくメインドアの本体キャビネットへの組付け作業の工数を低減できるものである。
【００１３】
この場合、請求項２乃至４に記載したように調整代を形成することによって調整の際に調整代が容易に変形するので、製造ばらつきを吸収することができる。
【発明を実施するための最良の形態】
【００１４】
以下、添付図面を参照して本発明に係る自動販売機のヒンジ装置の実施の形態を説明する。図１は本発明の実施対象となるヒンジ装置を備える自動販売機の斜視図であり、図２は図１のヒンジ装置の要部断面図である。
【００１５】
図１および図２に示すように、本発明の実施対象となる自動販売機は、前面が開放した断熱筐体として形成された本体キャビネット１と、本体キャビネット１の前面にヒンジプレート７を介して開閉可能に支持されたメインドア２とからなる。本体キャビネット１の庫内は、良く知られているように、断熱仕切壁により左右方向に複数の商品収納室に区分され、各商品収納室は、例えば、缶、瓶、ペットボトルなどの商品を収納した商品ラックが収設され、また、各商品収納室の下部には、当該各商品収納室を冷却もしくは加熱して商品ラックに収納した商品を冷蔵・温蔵状態に保存する冷却／加熱ユニットが配設されている。前記メインドア２の前面には、周知のように、硬貨投入口，紙幣投入口，金銭返却レバー，釣銭返却口，商品取出口，ロック付きハンドルなどが設けられている。ヒンジプレート７は従来と同様に補強金９を介して本体キャビネット１の天面に配置され、ヒンジプレート７および補強金９の取付穴７ａ，９ａを本体キャビネット１の取付穴１ａに一致させてボルト１０を差込み、本体キャビネット１の内面に突出したボルト１０にナット１１を螺合させて締め付けることによって本体キャビネット１に固着される。
【００１６】
この図１および図２に示す実施例が図５に示した従来装置と相違する点は本体キャビネット１の天面に穿孔された取付穴Ｈの構成である。すなわち、この実施例における取付穴Ｈは、前記ボルト１０の外径に略一致する大きさのボルト挿通穴Ｈａとこのボルト挿通穴Ｈａの外郭に設けた調整代としての調整穴Ｈｂとにより構成されている。前記調整穴Ｈｂの形状は三日月状に形成され、この実施例ではボルト挿通穴Ｈａの外郭に４つの三日月状穴として形成されている。なお、補強金９の取付穴９ａの大きさはボルト挿通穴Ｈａの外郭に設けた調整穴Ｈｂの周囲を囲う寸法に設定されており、ヒンジプレート７の取付穴７ａの大きさはボルト１０の外径に略一致する大きさに設定されている。
【００１７】
前述した実施例におけるメインドア２の本体キャビネット１への組付けは、本体キャビネット１の底板に植設されたヒンジ軸にメインドア２の下面に形成したヒンジ穴を挿入してメインドア２を本体キャビネット１の前面に配置し、このメインドア２の上面にその先端部に設けたヒンジ軸８を挿入してヒンジプレート７を取付け、次いでヒンジプレート７の基端部を、補強金９を介して本体キャビネット１の天面に配置し、ヒンジプレート７および補強金９の取付穴７ａ，９ａを本体キャビネット１の取付穴１ａに一致させてボルト１０を差込み、本体キャビネット１の内面に突出したボルト１０にナット１１を螺合させて仮止めすることによってメインドア２がヒンジプレート７を介して本体キャビネット１に組付ける。この組付け後、製造ばらつきがなく間隙Ｇが規定幅となるとともに下部のヒンジ軸と上部のヒンジ軸８とを結ぶ線が水平線に対して鉛直になっている場合にはナット１１を本締めする。このように製造ばらつきがない場合にはヒンジプレート７を正規の位置に取付ける、すなわち、ボルト１０をヒンジプレート７および補強金９の取付穴７ａ，９ａを介して本体キャビネット１の天面に穿孔した取付穴Ｈのボルト挿通穴Ｈａに差込んでナット１１を締め付けることによってメインドア２を本体キャビネット１の正規の位置に取付けることができる。
【００１８】
一方、製造ばらつきによってメインドア２の本体キャビネット１への組付け後に間隙Ｇが規定幅となっておらず間隙Ｇの調整が必要な場合や下部のヒンジ軸と上部のヒンジ軸８とを結ぶ線が水平線に対して鉛直になっておらず下部のヒンジ軸と上部のヒンジ軸８とを結ぶ線が水平線に対して鉛直となるように調整が必要な場合には従来装置と同様にハンマーでメインドア２を叩いて調整を行う。ハンマーでメインドア２を叩くとヒンジプレート７およびボルト１０を介して本体キャビネット１の天面に穿孔した取付穴Ｈの調整穴Ｈｂに打撃力が作用して調整穴Ｈｂが変形し、この調整穴Ｈｂの変形によってメインドア２の取付け位置が微調整される。なお、ハンマーの打撃力の作用によって変形した取付穴Ｈの折れ曲り片は補強金９の取付穴９ａの空間に逃げるので、調整穴Ｈｂの変形が妨げられることはない。このように、本体キャビネット１の天面に穿孔された取付穴Ｈをボルト１０の外径に略一致する大きさのボルト挿通穴Ｈａとこのボルト挿通穴Ｈａの外郭に設けた調整代としての調整穴Ｈｂとにより構成することによって、メインドア２の本体キャビネット１への組付け後に間隙Ｇの調整や下部のヒンジ軸と上部のヒンジ軸８とを結ぶ線が水平線に対して鉛直となるような調整を行うことができる。
【００１９】
次に、図３は本発明の本発明の異なる実施例を示す本体キャビネットの要部平面図である。図３において、Ｈ１は本体キャビネット１の天面に穿孔した取付穴を示す。この取付穴Ｈ１はボルト１０（図１参照）の外径に略一致する大きさのボルト挿通穴Ｈ１ａとこのボルト挿通穴Ｈ１ａの外郭に設けた調整代としてのボルト挿通穴Ｈ１ａの縁に向かって延在した調整代片Ｈ１ｂとにより構成されている。この実施例においても図１，図２に実施例と同様に、製造ばらつきがない場合にはヒンジプレート７を正規のボルト挿通穴Ｈ１ａに取付けることによってメインドア２を本体キャビネット１の正規の位置に取付けることができる。また、製造ばらつきによってメインドア２の本体キャビネット１への組付け後に間隙Ｇ（図２参照）の調整が必要な場合や下部のヒンジ軸と上部のヒンジ軸８とを結ぶ線が水平線に対して鉛直となるような調整が必要な場合には、従来装置と同様にハンマーでメインドア２を叩くとヒンジプレート７およびボルト１０を介して本体キャビネット１の天面に穿孔した取付穴Ｈ１の調整代片Ｈ１ｂに打撃力が作用して調整代片Ｈ１ｂが変形し、この調整代片Ｈｂの変形によってメインドア２の取付け位置が微調整され、間隙Ｇ（図２参照）の調整や下部のヒンジ軸と上部のヒンジ軸８とを結ぶ線が水平線に対して鉛直となるような調整を行うことができる。    以上述べた本発明は、例えば缶入り飲料、瓶入り飲料、紙パック入り飲料、ペットボル入り飲料を冷蔵あるいは加熱した状態で販売する自動販売機や、粉末原料を湯と混合して販売するコーヒー自動販売機のヒンジ装置に適用することができる。
【図面の簡単な説明】
【００２０】
【図１】この発明の実施の形態にかかるヒンジ装置を備えた自動販売機の斜視図である。
【図２】図１のヒンジ装置の要部断面図である。
【図３】本発明の異なる実施例を示す本体キャビネットの要部平面図である。
【図４】本発明の実施対象の一つである一般的な缶飲料自動販売機のメインドア開放状態を示す斜視図である。
【図５】従来のヒンジ装置を備えた自動販売機の斜視図である。
【図６】図５のヒンジ装置の要部断面図である。
【符号の説明】
【００２１】
１        本体キャビネット
２        メインドア
７        ヒンジプレート
８        ヒンジ軸
９        補強金
１０        ボルト
１１        ナット
Ｈ，Ｈ１      取付穴  Ｈａ，Ｈ１ａ      ボルト挿通穴
Ｈｂ        調整穴
Ｈ１ｂ        調整代片
【図１】
2005316726.tif 000003
【図２】
2005316726.tif 000004
【図３】
2005316726.tif 000005
【図４】
2005316726.tif 000006
【図５】
2005316726.tif 000007
【図６】
2005316726.tif 000008